(57)【要約】【課題】陳列室内の商品陳列有効容積の拡張を図ることができると共に、ショーケース側方からの商品視認性の向上を図ることができるショーケースを提供する。【解決手段】前面に開口を有する本体内に陳列室６を構成し、前面開口を開閉自在に閉塞する前面扉１２を備えて成る低温ショーケースＲにおいて、陳列室６下方に冷却器７と、冷却器用送風機８を備えた冷却室３を構成し、陳列室６後部には、冷却室３の冷却器７にて冷却された冷気を吐出する冷気吐出口２２を形成すると共に、陳列室６前部には、陳列室６内を循環した冷気を冷却室３内に吸込む冷気吸込口２３を形成した。【選択図】      図２
2004294031.tif 000002
【特許請求の範囲】
【請求項１】
前面に開口を有する本体内に陳列室を構成し、前記前面開口を開閉自在に閉塞する扉を備えて成るショーケースにおいて、
前記陳列室下方に冷却器と、冷却用送風機を備えた冷却室を構成し、
前記陳列室前部には、前記冷却室の前記冷却器にて冷却された冷気を吐出する冷気吐出口を形成すると共に、
前記陳列室後部には、前記陳列室内を循環した冷気を前記冷却室内に吸込む冷気吸込口を形成したことを特徴とするショーケース。
【請求項２】
前面に開口を有する本体内に陳列室を構成し、前記前面開口を開閉自在に閉塞する扉を備えて成るショーケースにおいて、
前記陳列室下方に冷却器と、冷却器用送風機を備えた冷却室を構成し、
前記陳列室後部には、前記冷却室の前記冷却器にて冷却された冷気を吐出する冷気吐出口を形成すると共に、
前記陳列室前部には、前記陳列室内を循環した冷気を前記冷却室内に吸込む冷気吸込口を形成したことを特徴とするショーケース。
【請求項３】
前記陳列室の隅部に、該陳列室内の冷気を整流する整流部材を備え、
該整流部材は、角度を変更可能とされていることを特徴とする請求項１又は請求項２のショーケース。
【請求項４】
前記整流部材は、前記扉の開閉に連動して角度が変わることを特徴とする請求項３のショーケース。
【発明の詳細な説明】
【０００１】
【発明の属する技術分野】
本発明は、前面に開口を有する本体内に陳列室を構成し、前面開口を開閉自在に閉塞する扉を備えて成るショーケースに関するものであって、特に、陳列室内の冷気の流れに関するものである。
【０００２】
【従来の技術】
従来よりこの種のショーケースは、上面に開口した断熱箱体内に冷却器と冷却器用送風機とを収容した冷却室と、この断熱箱体の下方には、冷却器と共に環状の冷凍サイクルを構成する圧縮機と凝縮器とを収容した機械室と、冷却室の上方において透明な周囲側壁により構成された商品収納室とから構成される。商品収納室の前面を構成する周囲側壁は、開閉自在とする前面扉とされ、商品収納室内に陳列された商品の納出が可能とされる。また、この商品収納室の下面には、前記冷却室と商品収納室とを連通する冷気吐出口と冷気吸込口とが形成される。
【０００３】
ここで、冷気吐出口は、一方の商品収納室の側壁側に形成されると共に、当該商品収納室の側壁と間隔を存して上方へ延出して形成された風向板を備え、この風向板に沿って冷却室内の冷気が商品収納室内に吐出される。また、この冷気吐出口と対向する側の商品収納室の側壁側に前記冷気吸込口が形成され、冷気吐出口から吐出され、商品収納室内を循環した冷気が当該冷気吸込口を介して冷却室内に帰還する（特許文献１参照）。
【０００４】
【特許文献１】
特公平７−２６７８１号公報
【０００５】
【発明が解決しようとする課題】
しかしながら、従来のショーケースでは、商品収納室内を循環する冷気の流れは上述した如く左右方向であったため、周囲側壁と商品を陳列する棚との間に所定間隔の隙間を設け、冷気循環用の空間を形成していた。また、商品収納室の前面を構成する周囲側壁は、前面扉とされていたため、当該扉と商品収納室内に陳列された商品との干渉を防止するための空間が形成されていた。これにより、商品収納室内の商品陳列有効容積が縮小される問題があった。
【０００６】
また、通常、周囲側壁は、内部商品の視認性を確保するため、ガラス板などにより構成されているが、冷気吐出口が形成される側のガラス面は特に、結露する傾向があり、ショーケース側面からの商品視認性が低下する問題があった。
【０００７】
そこで、本発明は従来の技術的課題を解決するためになされたものであり、陳列室内の商品陳列有効容積の拡張を図ることができると共に、ショーケース側方からの商品視認性の向上を図ることができるショーケースを提供することを目的とする。
【０００８】
【課題を解決するための手段】
請求項１の発明のショーケースは、前面に開口を有する本体内に陳列室を構成し、前面開口を開閉自在に閉塞する扉を備えて成るものであって、陳列室下方に冷却器と、冷却器用送風機を備えた冷却室を構成し、陳列室前部には、冷却室の冷却器にて冷却された冷気を吐出する冷気吐出口を形成すると共に、陳列室後部には、陳列室内を循環した冷気を冷却室内に吸込む冷気吸込口を形成したことを特徴とする。
【０００９】
請求項２の発明のショーケースは、前面に開口を有する本体内に陳列室を構成し、前面開口を開閉自在に閉塞する扉を備えて成るものであって、陳列室下方に冷却器と、冷却器用送風機を備えた冷却室を構成し、陳列室後部には、冷却室の冷却器にて冷却された冷気を吐出する冷気吐出口を形成すると共に、陳列室前部には、陳列室内を循環した冷気を冷却室内に吸込む冷気吸込口を形成したことを特徴とする。
【００１０】
請求項１又は請求項２の本発明によれば、前面に開口を有する本体内に陳列室を構成し、前面開口を開閉自在に閉塞する扉を備えて成るショーケースにおいて、陳列室下方に冷却器と、冷却器用送風機を備えた冷却室を構成し、陳列室前部又は後部には、冷却室の冷却器にて冷却された冷気を吐出する冷気吐出口を形成すると共に、陳列室後部又は前部には、陳列室内を循環した冷気を冷却室内に吸込む冷気吸込口を形成したので、前面開口を開閉自在に閉塞する扉と、陳列室内の商品との干渉を防止するための空間と、冷気循環用の空間とを共用することができるようになる。これにより、従来の同様の設置スペースのままで、陳列室内の容積を拡大することができるようになり、商品収容数の増加を図ることができるようになる。
【００１１】
また、陳列室を構成する周囲側壁が陳列室内部を視認可能とする透明な材料にて構成されている場合には、陳列室内の冷気の流れを従来の左右方向から前後方向とすることにより、陳列室を構成する左右側面に生じる結露による左右側壁の視認性の低下を改善することができるようになる。これにより、左右側壁からの商品の視認性が向上し、顧客の購買意欲を増進させることができるようになる。
【００１２】
特に、請求項２の発明によれば、陳列室後部から冷却室内の冷気を吐出し、陳列室前部から冷却室内の冷気を吸込むため、陳列室の前壁を構成する扉が内部を視認可能とする材料にて構成されていた場合に、冷却室からの冷気吐出により、当該前面扉が結露することを未然に回避することができるようになる。これにより、前面扉からの視認性が確保され、顧客の購買意欲の増進を図ることができるようになる。
【００１３】
請求項３の発明のショーケースは、上記各発明において、陳列室の隅部に、該陳列室内の冷気を整流する整流部材を備え、この整流部材は、角度を変更可能とされていることを特徴とする。
【００１４】
請求項３の発明によれば、上記各発明において、陳列室の隅部に、該陳列室内の冷気を整流する整流部材を備え、この整流部材は、角度を変更可能とされているので、例えば前面扉の開閉に応じて整流部材の角度を変更することができ、陳列室内の冷却効率を向上させることができるようになる。
【００１５】
請求項４の発明のショーケースは、上記において、整流部材は、扉の開閉に連動して角度が変わることを特徴とする。
【００１６】
請求項４の発明によれば、上記において、整流部材は、扉の開閉に連動して角度が変わるので、扉の閉鎖時において、効果的な冷気流を形成することができると共に、扉の開放時において、陳列室内への外気の侵入を効果的に抑制することができるようになる。
【００１７】
【発明の実施の形態】
以下、図面に基づき本発明の実施例を詳述する。図１は本発明を適用した低温ショーケースＲの正面図、図２は低温ショーケースＲの縦断側面図、図３は低温ショーケースＲの下部分拡大縦断側面図、図４は低温ショーケースＲの上部分拡大縦断側面図、図５は陳列室６の横断平面図を示している。
【００１８】
本発明の低温ショーケースＲは、縦長直方体状を呈しており、上面を開口した耐水性の発泡スチロール等から成る容器状断熱箱体２により形成された冷却室３と、前記断熱箱体２の下方に側壁４、４にて周囲を覆われ形成された機械室５と、前記冷却室３の上方に設置された陳列室６とを備えている。ここで、冷却室３にはプレートフィン型の冷却器７と、この冷却器用の軸流形送風機８とが設けられ、機械室５には、前記冷却器７と共に、冷凍サイクルを構成する凝縮器９と、凝縮器用送風機１０と、電動圧縮機１１とが設けられている。尚、機械室５の前面を形成する側壁４には、凝縮器用送風機１０により機械室５内の空気を外部に吐出するための複数の吐出口が形成された前面グリル１３が形成されている。
【００１９】
また、陳列室６の周囲側壁のうちの一側壁、例えば前面が開口し、当該開口には透明ガラスの前面扉１２が設けられ、また、他の周囲３側壁１４は透明ガラスで構成されている。尚、この前面扉１２には、図示しない制御装置に接続された扉センサが設けられ、当該前面扉１２の開閉動作が検知されるものとする。また、陳列室６の四隅即ち、周囲側壁１４間には縦方向に延出した図示しない支柱が配置され、これら支柱には複数の商品載置棚１５（図１及び図５のみ図示する。）が上下に渡って架設支持される。尚、１６は陳列室６の天壁であり、１７は低温ショーケースＲを支持するため、低温ショーケースＲの四隅に取り付けられた台車である。
【００２０】
一方、前記断熱箱体２の上面２Ａには、前記各側壁１４の下部を嵌合支持する枠部２１が設けられ、この枠部２１には、冷却室８と陳列室６とを区画するための仕切板２０が設けられる。この仕切板２０の後部には、冷却室８と陳列室６とを連通すると共に、冷却室８からの冷気を陳列室６内に吐出するための冷気吐出口２２が形成される。この冷気吐出口２２の前縁には、風向板２４が設けられる。この風向板２４は、陳列室６の背面を構成する側壁１４と所定間隔を存して、立設され、冷気吐出口２２から吐出され、図３の矢印の如く強制循環される冷気を陳列室６上方にまで指向案内するものである。
【００２１】
また、仕切板２０の前部には、冷却室８と陳列室６とを連通すると共に、陳列室６内の冷気を冷却室８内に吸い込むための冷気吸込口２３が形成される。この冷気吸込口２３の前方には、可動式の下部整流部材２５が設けられる。この下部整流部材２５は、陳列室６の左右に渡って構成される板状部材であり、この下部整流部材２５の下端を中心として例えば図示しないヒンジ部材やバネ部材等により後方に回動自在に構成され、当該下部整流部材２５の傾斜角度を変更可能とされている。
【００２２】
尚、この下部整流部材２５は、略水平とされた状態で、当該下部整流部材２５により、前記仕切板２０に形成された冷気吸込口２３の一部を閉塞するが、該冷気吸込口２３のすべてを閉塞するものではないものとする。また、この下部整流部材２５の傾斜角度は、前記前面扉１２の開閉動作に応じて前記制御装置により、制御されるものとする。更にまた、この下部整流部材２５は、弾性体により構成されているため、使用者が自在に角度調整を行うことができるものとする。
【００２３】
他方、陳列室６の後上部の角隅には、図４に示す如く当該陳列室６内を照明するための照明装置２６が設けられると共に、この照明装置２６の下方には、当該照明装置２６を被覆すると共に、前記冷気吐出口２２から上方に向けて吐出された冷気を前方に整流するための後上部整流部材２７が設けられる。この後上部整流部材２７は、図４に示す如く下方から前方に向けて所定曲率で湾曲して形成されていると共に、照明装置２６からの照明を透過するため透光性材料により構成されている。尚、本実施例では、当該照明装置２６と後上部整流部材２７は、一体に構成されているものとする。
【００２４】
また、陳列室６の前上部の角隅には、可動式の前上部整流部材２８が設けられる。この前上部整流部材２８は、陳列室６の左右に渡って構成される板状部材であり、この前上部整流部材２８の中央において左右方向に渡って設けられる軸部材２９を中心として前後に回動自在に構成され、当該前上整流部材２８の傾斜角度を変更可能とされている。尚、この前上部整流部材２８の傾斜角度は、前記前面扉１２の開閉動作に応じて前記制御装置により、制御されるものとする。
【００２５】
以上の構成により、圧縮機１１、冷却器用の送風機８及び凝縮器用送風機１０が運転されると、冷却室３内に配設された冷却器７は冷却作用を発揮して、冷却室３内の空気を冷却する。ここで、冷却器用送風機８が運転されていることから、冷却器７にて冷却された後の冷気は、冷却室３後部に形成された冷気吐出口２２を介して陳列室６内に吐出される。
【００２６】
陳列室６内に吐出された冷気は、風向板２４により陳列室６上方に指向案内され、当該陳列室６の背面を形成する側壁１４に沿って上昇する。陳列室６後上部に到達した冷気は、上述した如く照明装置２６の下方に設けられた後上部整流部材２７により、前方に指向案内され、陳列室６前上部に整流される。
【００２７】
ここで、前記扉センサの出力により、陳列室６の前面に設けられた前面扉１２が閉鎖されている場合には、前記制御装置は、前上部整流部材２８を軸部材２９を中心として下端が前、上端が後ろとなるように回動させ（図４の２８Ａの状態）、下部整流部材２５を後方に回動させ、略水平状態とする。
【００２８】
これにより、後上部整流部材２７により、前方に指向案内され、陳列室６前上部に整流された冷気は、前上部整流部材２８により、上方から斜め前方向に整流され、前面扉１２の後面に沿って降下した後、下部整流部材２５が略水平状態とされていることから、当該下部整流部材２５と仕切板２０との隙間、及び該下部整流部材２５にて閉塞されていない冷気吸込口２３を介して冷却室３内に帰還する。冷却室３に帰還した冷気は、冷却器７により再び冷却された後、再度冷気吐出口２２を介して陳列室６内に吐出され、当該陳列室６内を循環することにより、陳列室６全体を冷却する。
【００２９】
ここで、前上部整流部材２８は、冷気を上方から斜め前方向に整流することにより、該冷気を前面扉１２の後面に沿って降下させることができるため、効果的に陳列室６全体を冷却することができるようになる。
【００３０】
また、前面扉１２の閉鎖状態において、下部整流部材２５は、略水平状態とされていることから、前方からの下部整流部材２５付近に陳列される商品の視認性を確保することができるようになる。
【００３１】
他方、前記扉センサの出力により、陳列室６の前面に設けられた前面扉１２が開放されている場合には、前記制御装置は、前上部整流部材２８を軸部材２９を中心として上端が前、下端が後ろとなるように回動させ（図４の２８Ｂの状態）、下部整流部材２５を前方に回動させ、略垂直状態とする。
【００３２】
これにより、後上部整流部材２７により、前方に指向案内され、陳列室６前上部に整流された冷気は、前上部整流部材２８により、上方から斜め後方向に整流され、陳列室６内方を降下した後、下部整流部材２５が略垂直状態とされていることから、下部整流部材２５に影響されることなく冷気を冷気吸込口２３から冷却室３内に帰還する。
【００３３】
ここで、前面扉１２の開放時において、前上部整流部材２８は、冷気を上方から斜め後方に整流することにより、陳列室６内の冷気が外部に漏出する不都合を抑制することができるようになる。
【００３４】
また、下部整流部材２５は、略垂直状態とされているため、図３に矢印で示す如く外気を該下部整流部材２５により陳列室６内部に侵入することを抑制することができるようになる。これにより、陳列室６内の温度が外気に影響されて、上昇する不都合を著しく抑制することができるようになる。更に、この下部整流部材２５は、上述した如く弾性体により構成されていることから、該下部整流部材２５の後方に陳列されている商品を取り出す際には、当該弾性体を後方に押し倒すことにより、容易に商品の取り出しを行うことができるようになる。
【００３５】
以上の構成により、冷却室３にて冷却された冷気は、陳列室６後部の冷気吐出口２２から吐出され、陳列室６内を循環した後、陳列室６前部の冷気吸込口２３から冷却室３に吸い込まれることとしたため、当該冷気循環用の空間を、前面開口を開閉自在に閉塞する前面扉１２と、陳列室６内の商品との干渉を防止するための空間と、共用することができ、従来と同様の設置スペースのままで、陳列室６内の容積の拡大を図ることができるようになる。これにより、商品収容数の増加を図ることができるようになる。
【００３６】
また、本実施例の如く陳列室６を構成する周囲側壁１４が陳列室６内部を視認可能とする透明ガラスにて構成されている場合であっても、陳列室６内の冷気の流れを前後方向とすることにより、陳列室６を構成する左右側面に生じる結露による左右側壁１４の視認性の低下を改善することができるようになる。これにより、左右側壁１４からの商品の視認性が向上し、顧客の購買意欲を増進させることができるようになる。
【００３７】
尚、本実施例では、陳列室６後部から冷気吐出を行い、前部から冷気吸込を行っているが、これ以外にも、陳列室６前部から冷気吐出を行い、後部から冷気吸込を行っても、同様の効果を得ることができる。
【００３８】
また、本実施例の如く陳列室６後部から冷却室３内の冷気を吐出し、陳列室６前部から冷却室３内の冷気を吸込むことにより、陳列室６の前壁を構成する前面扉１２が、冷却室３からの冷気吐出により、結露することを未然に回避することができるようになる。これにより、前面扉１２からの視認性が確保され、より一層、顧客の購買意欲の増進を図ることができるようになる。
【００３９】
【発明の効果】
以上詳述した如く請求項１又は請求項２の本発明によれば、前面に開口を有する本体内に陳列室を構成し、前面開口を開閉自在に閉塞する扉を備えて成るショーケースにおいて、陳列室下方に冷却器と、冷却器用送風機を備えた冷却室を構成し、陳列室前部又は後部には、冷却室の冷却器にて冷却された冷気を吐出する冷気吐出口を形成すると共に、陳列室後部又は前部には、陳列室内を循環した冷気を冷却室内に吸込む冷気吸込口を形成したので、前面開口を開閉自在に閉塞する扉と、陳列室内の商品との干渉を防止するための空間と、冷気循環用の空間とを共用することができるようになる。これにより、従来の同様の設置スペースのままで、陳列室内の容積を拡大することができるようになり、商品収容数の増加を図ることができるようになる。
【００４０】
また、陳列室を構成する周囲側壁が陳列室内部を視認可能とする透明な材料にて構成されている場合には、陳列室内の冷気の流れを従来の左右方向から前後方向とすることにより、陳列室を構成する左右側面に生じる結露による左右側壁の視認性の低下を改善することができるようになる。これにより、左右側壁からの商品の視認性が向上し、顧客の購買意欲を増進させることができるようになる。
【００４１】
特に、請求項２の発明によれば、陳列室後部から冷却室内の冷気を吐出し、陳列室前部から冷却室内の冷気を吸込むため、陳列室の前壁を構成する扉が内部を視認可能とする材料にて構成されていた場合に、冷却室からの冷気吐出により、当該前面扉が結露することを未然に回避することができるようになる。これにより、前面扉からの視認性が確保され、顧客の購買意欲の増進を図ることができるようになる。
【００４２】
請求項３の発明によれば、上記各発明において、陳列室の隅部に、該陳列室内の冷気を整流する整流部材を備え、この整流部材は、角度を変更可能とされているので、例えば前面扉の開閉に応じて整流部材の角度を変更することができ、陳列室内の冷却効率を向上させることができるようになる。
【００４３】
請求項４の発明によれば、上記において、整流部材は、扉の開閉に連動して角度が変わるので、扉の閉鎖時において、効果的な冷気流を形成することができると共に、扉の開放時において、陳列室内への外気の侵入を効果的に抑制することができるようになる。
【図面の簡単な説明】
【図１】本発明を適用した低温ショーケースの正面図である。
【図２】低温ショーケースの縦断側面図である。
【図３】低温ショーケースの下部分拡大縦断側面図である。
【図４】低温ショーケースの上部分拡大縦断側面図である。
【図５】陳列室の横断平面図である。
【符号の説明】
Ｒ  冷却貯蔵庫
３  冷却室
６  陳列室
７  冷却器
８  送風機
１２  前面扉
１４  側壁
２２  冷気吐出口
２３  冷気吸込口
２４  風向板
２５  下部整流部材
２６  照明装置
２７  後上部整流部材
２８  前上部整流部材
【図１】
2004294031.tif 000003
【図２】
2004294031.tif 000004
【図３】
2004294031.tif 000005
【図４】
2004294031.tif 000006
【図５】
2004294031.tif 000007